(57)【要約】【課題】  ファスナーが閉じ、スライダの摘みの自由端が噛み合った務歯の上に倒伏している場合、摘みを起立させてファスナーを開けることが困難になるが、この不都合を解消し、スライダの操作性を向上させ得る摘みを提供する。【解決手段】  基端をファスナーのスライダ３に揺動可能に支承された板状体であって、ファスナーを閉じたとき、噛み合った務歯２、２に対向する側の面を凸になるように湾曲させ、以て、ファスナーが閉じたとき噛み合った務歯２、２と、摘み４の自由端との間に隙間５を生じさせ、この隙間５に指先を入れることにより、摘み４を起立させ易くする。【選択図】  図３
2010119559.tif 000002
【特許請求の範囲】
【請求項１】
基端をファスナーのスライダに揺動可能に支承された板状体であって、ファスナーを閉じたとき、噛み合った務歯に対向する側の面を凸になるように湾曲させたことを特徴とするファスナーのスライダの摘み。
【請求項２】
基端をファスナーのスライダに揺動可能に支承された板状体であって、その自由端部の、ファスナーを閉じたとき噛み合った務歯に対向する側を山折りしたことを特徴とするファスナーのスライダの摘み。
【発明の詳細な説明】
【技術分野】
【０００１】
この発明は、ファスナーのスライダの摘み（以下単に摘みという）に係り、特に、スライダの操作性を向上させ得る摘みに関する。
【背景技術】
【０００２】
ファスナーは、下記特許文献１の図２、又はこの明細書に添付した図１に示すように、テープ１の側端縁に沿って止着された務歯（むし）２、２をスライダ３によって相互に噛み合わせることによってテープ１、１を並列に連結し、或いは、噛み合った務歯２、２を掻き分けるようにして分離するもので、衣服や鞄等に装着されることは周知である。
【０００３】
そして、上記スライダ３は、一端（図１に示すものは下端）をスライダに揺動可能に支承された摘み４を介して操作される。
【特許文献１】特開２００３−２２５１０２
【発明の開示】
【発明が解決しようとする課題】
【０００４】
上記摘み４は、スライダ３を操作しないときには、その他端（図１に示すものは上端）を閉じた務歯２、２に接触させるようにしてファスナー上に倒伏する。
【０００５】
そして、例えばズボンのファスナーの場合には、上記ファスナーを覆う布地が重なるので、例えば着替えや用便等のためファスナーを開くとき、上記摘み４を起こさねばならないが、上記したように摘みの他端（自由端）はファスナー上に倒伏しているので、摘みを起こすにはその自由端の厚さ（摘みの厚さ）分の僅かな段部に指や爪先を掛けなければならず、例えば図２に示すように、紳士がファスナーを開けるため苦労している場面をよく目にする。
【０００６】
また、この不都合はズボンに限らず、例えばジャンパー等の上半身に纏う衣服、或いは鞄等のファスナーの場合も同様であり、更に、冬季手袋をはめているときにも同様である。
【０００７】
更にまた、これは発明者が実際にクリーニング屋に聞いた話であるが、クリーニングのためズボンのファスナーを開けるとき摘みの自由端を先にしてファスナーを開き、その侭摘みをファスナーを覆う布地に突っ込んでしまうと、これを元に戻すために大変苦労をするそうである。
【０００８】
そこで、この発明は、上記した不都合が生じない摘みを提供し、スライダの操作性を向上させることを目的としている。
【課題を解決するための手段】
【０００９】
上記の目的を達成するため、請求項１に記載の発明は、基端をファスナーのスライダに揺動可能に支承された板状体であって、ファスナーを閉じたとき、噛み合った務歯に対向する側の面を凸になるように湾曲させたことを特徴とする。
【００１０】
また、請求項２に記載の発明は、基端をファスナーのスライダに揺動可能に支承された板状体であって、その自由端部の、ファスナーを閉じたとき噛み合った務歯に対向する側を山折りしたことを特徴とする。
【発明の効果】
【００１１】
上記のように構成された請求項１及び２に記載の発明は、図３に示すように、ファスナーが閉じたとき噛み合った務歯と、摘み４の自由端との間に隙間５が生じるから、この隙間５に指先を入れれば容易に摘み４を起立させることができ、そのためスライダの操作性が向上してファスナーの使用勝手が増大する。
【００１２】
これは、摘み４が反対側に倒れていても、すなわち、図３での摘み４が右側に倒れていても、ファスナーと摘み４との間に三日月形の隙間（請求項１に記載の発明の場合、請求項２に記載の発明では細長い三角形）ができるので、その側端縁を摘むようにして摘み４を起立させることができる。
【００１３】
また、摘み４の湾曲或いは折曲げはプレス加工で簡単に形成できるので、この発明の実施は容易である。
【００１４】
更にまた、例えばズボンのファスナーに本発明を適用した場合、摘みの自由端部が少し前方に突出するが、その突出は衣服全体の凹凸から見て微小であり、殆ど問題にならない、等種々の効果を奏する。
【発明を実施するための最良の形態】
【００１５】
摘みを湾曲させる、或いは折り曲げる、等の簡単に構成で、ファスナーのスライダの操作性を大幅に向上させることができた。
【実施例１】
【００１６】
以下、図面を参照してこの発明の実施例を説明する。
図３において符号４は摘みを示し、また、同図において図１と等符号を付した部分は相互に均等な部分を示す。
【００１７】
図３におけるファスナーは、スライダ３を右方に動かすとき務歯２、２が相互に噛み合い、スライダ３に関し左側の務歯２、２が噛み合ってファスナーが閉じるものとする。
【００１８】
そして、摘み４は図３に示すようにその下面、すなわち、噛み合った務歯２、２に対向する側が凸になるように湾曲している。
【００１９】
上記湾曲の態様は、摘み４の長さ方向（図３で左右方向）の全長にわたって同じ曲率になるように湾曲してもよいし、或いは、その自由端部（図３で右端部）のみが湾曲するようにしてもよい。
【００２０】
上記摘み４の湾曲を形成するには、例えば摘み４が金属板の場合には、プレス加工により容易に、かつ効率良く湾曲加工を行うことができる。
【００２１】
また、合成樹脂製の摘み４も公知であり、この場合は、摘み４の射出成形時に湾曲させることができる。
【実施例２】
【００２２】
図４は請求項２に記載の発明による摘み４を示し、この摘み４は、その自由端部の、ファスナーを閉じたとき噛み合った務歯に対向する側を山折りしてある。
【００２３】
この場合も、ファスナーが閉じたとき噛み合った務歯と、摘み４の自由端との間に隙間５が生じ、図３に示す請求項１に記載の発明と同じ効果を奏する。
【００２４】
そして、上記山折の形成は従来の加工技術をその侭利用でき、その作用効果も上記した請求項１に記載の発明と同様であるから、更に詳細な説明は省略する。
【図面の簡単な説明】
【００２５】
【図１】ファスナーの正面図。
【図２】従来の摘みの不都合な点を例示する外観斜視図。
【図３】請求項１に記載の発明の一実施例によるファスナーのスライダ部分の拡大側面図。
【図４】請求項２に記載の発明の一実施例による摘みの拡大側面図。
【符号の説明】
【００２６】
１  テープ
２  務歯
３  スライダ
４  摘み
５  隙間
【図１】
2010119559.tif 000003
【図２】
2010119559.tif 000004
【図３】
2010119559.tif 000005
【図４】
2010119559.tif 000006